(57)【特許請求の範囲】
【請求項１】
両端に開口部を有する円筒状部材のＸ線検査方法であって、
Ｘ線を照射する照射部と、該照射部から照射されたＸ線を受ける受像部とを結ぶ線を照
射線として、
前記照射線が前記円筒状部材の中心軸線に対して傾くように、且つ前記照射線が前記円
筒状部材の一方の開口部を通るように、前記照射部又は前記受像部を前記円筒状部材に対
して配置し、
前記円筒状部材の一方の開口部から軸方向の中央部までの検査を行う第１検査工程と、
前記円筒状部材の前記照射線に対する相対的な位置が反転するように前記円筒状部材又
は前記照射部若しくは前記受像部を反転させる反転工程と、
前記円筒状部材の他方の開口部から軸方向中央部までの検査を行う第２検査工程とを有
することを特徴とする円筒状部材のＸ線検査方法。
【請求項２】
両端に開口部を有する円筒状部材をＸ線で検査するＸ線検査装置であって、
Ｘ線を照射する照射部と、
該照射部から照射されたＸ線を受ける受像部とを備え、
前記照射部と前記受像部とを結ぶ線を照射線として、
前記照射線が前記円筒状部材の中心軸線に対して傾くように、且つ前記照射線が前記円
筒状部材の一方の開口部を通るように、前記照射部又は前記受像部を前記円筒状部材に対
して配置し、
前記円筒状部材の前記照射線に対する相対的な位置が反転するように前記円筒状部材又
は前記照射部若しくは前記受像部を反転させる反転機構を備えることを特徴とする円筒状
部材のＸ線検査装置。
【発明の詳細な説明】
【技術分野】
【０００１】
本発明は、円筒状部材のＸ線検査方法及びその装置に関する。
【背景技術】
【０００２】
従来、Ｘ線を照射する照射部と、照射されたＸ線を受ける受像部とを備え、円筒状部材の溶接部を検査するＸ線検査装置が知られている（例えば、特許文献１参照）。このＸ線検査装置では、受像部を円筒状部材内に配置し、溶接部を照射部と受像部とで挟み込むようにしている。そして、照射部と受像部とを円筒状部材の軸方向に移動させて、円筒状部材の溶接部のＸ線検査を行っている。
【先行技術文献】
【特許文献】
【０００３】
【特許文献１】実開昭５９−１７８４４号公報
【発明の概要】
【発明が解決しようとする課題】
【０００４】
従来のように受像部を円筒状部材内に配置する場合、Ｘ線検査の準備段階として受像部を円筒状部材内に挿入する工程、及びＸ線検査終了後に受像部を円筒状部材から取り出す工程が必要となり、検査に時間を要する。
【０００５】
受像部を円筒状部材の外に配置し、照射部と受像部とで上下から円筒状部材を挟み込むようにしてＸ線検査を行うことも考えられるが、この場合、照射されたＸ線が円筒状部材の周壁を２回通過することとなり、検査精度が低下してしまう。
【０００６】
本発明は、以上の点に鑑み、検査精度を低下させることなく、円筒状部材のＸ線検査を迅速に行うことができる円筒状部材のＸ線検査方法及びその装置を提供することを目的とする。
【課題を解決するための手段】
【０００７】
上記目的を達成するため、本発明は、両端に開口部を有する円筒状部材のＸ線検査方法であって、Ｘ線を照射する照射部と、該照射部から照射されたＸ線を受ける受像部とを結ぶ線を照射線として、前記照射線が前記円筒状部材の中心軸線に対して傾くように、且つ前記照射線が前記円筒状部材の一方の開口部を通るように、前記照射部又は前記受像部を前記円筒状部材に対して配置し、前記円筒状部材の一方の開口部から軸方向の中央部までの検査を行う第１検査工程と、前記円筒状部材の前記照射線に対する相対的な位置が反転するように前記円筒状部材又は前記照射部若しくは前記受像部を反転させる反転工程と、前記円筒状部材の他方の開口部から軸方向中央部までの検査を行う第２検査工程とを有す
ることを特徴とする。
【０００８】
また、本発明は、両端に開口部を有する円筒状部材をＸ線で検査するＸ線検査装置であって、Ｘ線を照射する照射部と、該照射部から照射されたＸ線を受ける受像部とを備え、前記照射部と前記受像部とを結ぶ線を照射線として、前記照射線が前記円筒状部材の中心軸線に対して傾くように、且つ前記照射線が前記円筒状部材の一方の開口部を通るように、前記照射部又は前記受像部を前記円筒状部材に対して配置し、前記円筒状部材の前記照射線に対する相対的な位置が反転するように前記円筒状部材又は前記照射部若しくは前記受像部を反転させる反転機構を備えることを特徴とする。
【０００９】
本発明によれば、照射線が円筒状部材の一方の開口部を通るため、照射されたＸ線が円筒状部材の周壁を２回通過することがなく、検査精度の低下を防止することができる。また、照射部又は受像部を円筒状部材内に配置する必要がないため、従来のように受像部を円筒状部材内に挿入する工程、及び検査終了後に受像部を円筒状部材から取り出す工程が不要となり、円筒状部材のＸ線検査を迅速に行うことができる。
【００１０】
また、本発明の方法においては、円筒状部材の一方の開口部から軸方向の中央部までの検査を行う第１検査工程と、前記円筒状部材の前記照射線に対する相対的な位置が反転するように前記円筒状部材又は前記照射部若しくは前記受像部を反転させる反転工程と、前記円筒状部材の他方の開口部から軸方向中央部までの検査を行う第２検査工程とを有する。
【００１１】
また、本発明の装置においては、円筒状部材の前記照射線に対する相対的な位置が反転するように前記円筒状部材又は前記照射部若しくは前記受像部を反転させる反転機構を備える。
【００１２】
本発明では、照射線が円筒状部材の一方の開口部を通るようにしているため、円筒状部材の軸方向における検査範囲に所定の限界が生じるが、上述のように、円筒状部材を反転させることにより、中心軸方向に比較的長い円筒状部材であってもＸ線検査を行うことが可能となる。
【図面の簡単な説明】
【００１３】
【図１】本発明の円筒状部材のＸ線検査装置の実施形態を示す模式図。
【図２】本実施形態のＸ線検査装置の作動を示す説明図。
【図３】本発明の円筒状部材のＸ線検査方法の実施形態を示す説明図。
【発明を実施するための形態】
【００１４】
図１から図３を参照して、本発明の実施形態の円筒状部材のＸ線検査装置及びＸ線検査方法を説明する。図１に示すように、本実施形態の円筒状部材のＸ線検査装置１は、ケース２内で反転自在な反転機構３と、反転機構３に設けられた進退機構４と、進退機構４に設けられ、円筒状部材５を保持する保持機構６と、Ｘ線を照射する照射部７（Ｘ線発生器）と、照射部７から照射されたＸ線を受ける受像部８（Ｘ線カメラ）とを備える。
【００１５】
円筒状部材５は、一枚の金属製の薄い板材を丸めてその両端部を溶接して形成されたものである。反転機構３はターンテーブル９に設けられ、ターンテーブル９を回転させることにより、円筒状部材５を保持機構６で保持させる保持位置Ｂと、円筒状部材５をＸ線で検査する検査位置Ａとに切換可能としている。
【００１６】
図２に示すように、反転機構３は、Ｌ字状の反転台３ａを備える。Ｌ字状の反転台３ａには、上方に延びる側壁部３ｂで進退機構４を片持ち状態で支えている。
【００１７】
図２に示すように、保持機構６は、円筒状部材５が内部に挿入された支持部６ａに引っ掛けられると共に、軸方向両端から挟持部材６ｂ，６ｂで挟持されることにより、円筒状部材５を保持する。支持部６ａの下方にはローラ６ｃが設けられている。ローラは６ｃ円筒状部材５の内周面に当接している。
【００１８】
照射部７と受像部８とを結ぶ線を照射線Ｌとすると、照射線Ｌが円筒状部材５の一方の開口部を通るように、且つ円筒状部材５の中心軸線Ｏに対して傾斜するように、照射部７と受像部８とがケース２内に配置されている。
【００１９】
図２（ａ）に示すように、進退機構４は、保持機構６と共に円筒状部材５を進退自在に直動させることができる。また、図２（ｂ）に示すように、反転機構３は、進退機構４及び保持機構６と共に円筒状部材５を反転（１８０度回転）させることができる。なお、図２では、円筒状部材５を断面で示している。
【００２０】
次に、図３を参照して、本実施形態のＸ線検査装置を用いた検査方法を説明する。まず、ターンテーブル９の保持位置Ｂで、保持機構６に円筒状部材５を保持させる。そして、ターンテーブル９を回転して、円筒状部材５を検査位置Ａに移動させる。そして、図３（ａ）に示すように、進退機構４で円筒状部材５を前進させて、円筒状部材５の溶接部の軸方向中央部、即ち、軸方向の半分以上をＸ線で検査する。これが本実施形態における第１検査工程に該当する。なお、図３においては、円筒状部材５の溶接部は上方に位置している。
【００２１】
図３（ｂ）に示すように、照射線Ｌが円筒状部材５の溶接部を半分以上検査したところで、反転機構３を用いて、円筒状部材５を反転させる。これにより、円筒状部材５の照射線Ｌに対する相対的な位置が反転する。このとき、図２（ｂ）に示すように、進退機構４も円筒状部材５と共に反転する。これが本実施形態における反転工程に該当する。そして、図３（ｃ）に示すように、進退機構４で円筒状部材５を更に前進させて、円筒状部材５の残りの部分、即ち、円筒状部材５の軸方向中央部から他方の開口部までの溶接部を検査する。これが本実施形態における第２検査工程に該当する。
【００２２】
検査が終了した後は、反転機構３で円筒状部材５を再度反転させる。そして、ターンテーブルを回転させて、円筒状部材５を保持位置Ｂに移動し、円筒状部材５を保持機構６から取り外す。
【００２３】
本実施形態のＸ線検査装置によれば、照射線Ｌが円筒状部材５の一方の開口部を通るため、照射されたＸ線が円筒状部材５の周壁を２回通過することがなく、検査精度の低下を防止することができる。また、照射部７又は受像部８を円筒状部材５内に配置する必要がないため、従来のように受像部を円筒状部材内に挿入する工程、及び検査終了後に受像部を円筒状部材から取り出す工程が不要となり、円筒状部材５のＸ線検査を迅速に行うことができる。
【００２４】
また、照射線Ｌが円筒状部材５の一方の開口部を通るようにしているため、円筒状部材５の軸方向における検査範囲に所定の限界が生じるが、上述のように、反転機構３で円筒状部材５を反転させることにより、中心軸方向に比較的長い円筒状部材５であってもＸ線検査を行うことが可能となる。
【００２５】
なお、本実施形態のＸ線検査装置１では、円筒状部材５の溶接部をＸ線で検査するものを説明したが、本発明の検査対象は溶接部に限らない。例えば、遠心鋳造で生産された円筒部材の周壁のＸ線検査に用いることもできる。この場合、円筒状部材を軸周りに旋回する旋回機構を設ければよい。
【００２６】
また、実施形態においては、円筒状部材を反転させるものを説明したが、本発明はこれに限らず、照射部又は受像部を反転させてもよい。これによっても、比較的長い円筒状部材５のＸ線検査を行うことができる。
【符号の説明】
【００２７】
１…Ｘ線検査装置、２…ケース、３…反転機構、３ａ…反転台、３ｂ…側壁部、４…進退機構、５…円筒状部材、６…保持機構、６ａ…支持部、６ｂ…挟持部材、６ｃ…ローラ、７…照射部（Ｘ線発生器）、８…受像部（Ｘ線カメラ）、９…ターンテーブル、Ｌ…照射線、Ｏ…円筒状部材の中心軸線、Ａ…検査位置、Ｂ…保持位置。
【図１】
0005889004.tif 000002
【図２】
0005889004.tif 000003
【図３】
0005889004.tif 000004